(57)【要約】  【課題】  取付穴に容易に挿入でき、かつ強固に固定できるファスナーを提供する。  【解決手段】  ファスナー１は、支柱部２１、弾性片２３、バネ片２５、操作片２７などを有する。バネ片２５は、弾性片２３の上端から支柱部２１に向けて延び出している舌状の部材であり、また支柱部２１側の延び出した先端が、弾性片２３側の基端より下側に位置するように下方向に傾斜して延び出している。ファスナー１は、バネ片２５が厚みの小さい舌状であるため支柱部２１と弾性片２３とを近接させる際に大きな妨げにならず、小さくまとめることができ、容易に取付穴９に挿入できる。取付穴９に挿入した状態においては弾性片２３が支柱部２１に近接するため、バネ片２５が支柱部２１と接触して弾性片２３を支柱部２１から離れる方向に押圧する。よって、突出片３５が取付穴９の内壁面を押圧する力が強くなる。【選択図】図４
2014095430.tif 000002
【特許請求の範囲】
【請求項１】
支柱部と、
前記支柱部の一端側に連接されて当該一端とは異なる他端側に延び出し、前記支柱部の軸方向と交差する方向に弾性変形する弾性片と、
前記支柱部および前記弾性片のいずれか一方に連接され、当該一方とは異なる他方に向けて延び出すバネ片と、を備え、
前記バネ片は、被固定部材に設けられた取付穴に前記支柱部が前記一端側から挿入されて前記弾性片が前記支柱部に近づく方向に変位した状態において、前記他方と接触して前記弾性片を前記支柱部から離れる方向に押圧する
ことを特徴とするファスナー。
【請求項２】
前記バネ片は、前記支柱部側の端部が前記弾性片側の端部よりも前記一端側に位置するように傾斜して延び出しており、
前記他方には、前記支柱部に外部からの荷重が作用して、前記支柱部が前記弾性片に対して前記取付穴から抜去する方向に相対的に移動した際に、前記バネ片と係止する係止部が形成されている
ことを特徴とする請求項１に記載のファスナー。
【請求項３】
前記弾性片が前記一方であり、前記支柱部が前記他方である
ことを特徴とする請求項２に記載のファスナー。
【請求項４】
前記弾性片に連接され、前記支柱部から離れる方向に延び出す操作片を備える
ことを特徴とする請求項１から請求項３のいずれか１項に記載のファスナー。
【請求項５】
前記弾性片には、前記弾性片における前記支柱部と反対側の面から突出する複数の突出片が形成されている
ことを特徴とする請求項１から請求項４のいずれか１項に記載のファスナー。
【発明の詳細な説明】
【技術分野】
【０００１】
本発明は、取付穴が設けられた被固定部材に取り付けられるファスナーであって、特に木板等の厚みの大きい部材に取り付けられるファスナーに関する。
【背景技術】
【０００２】
従来、木部等に形成された取付穴に電線等を固定するためのファスナーとして、支柱部と支柱部に連接される弾性片とを備え、支柱部と弾性片とを取付穴に圧入して、弾性片の弾性復帰力により取付穴の内壁面に係止して固定するものが用いられている。
【０００３】
このようなファスナーとして、取付穴に強固に固定するために、支柱部および弾性片の所定位置を肉厚に形成し、ファスナーを抜去する際に弾性片が外側に押圧されるファスナーが提案されている（特許文献１参照）。
【先行技術文献】
【特許文献】
【０００４】
【特許文献１】特開２００５−７６７４０号公報
【発明の概要】
【発明が解決しようとする課題】
【０００５】
上述したような支柱部と弾性片とを取付穴に挿入する構成のファスナーでは、弾性片を支柱部に近接させて小さくまとめた状態にして取付穴に挿入すると、取付穴の内壁面との摩擦力が小さくなり挿入が容易になる。しかしながら上記特許文献１のファスナーは、支柱部および弾性片が肉厚に形成されているものであるため、弾性片を支柱部に近接させることに制限があった。
【０００６】
本発明の目的は、取付穴に容易に挿入でき、かつ強固に固定できるファスナーを提供することである。
【課題を解決するための手段】
【０００７】
上述した問題を解決するためになされた請求項１に記載の発明は、支柱部と、前記支柱部の一端側に連接されて当該一端とは異なる他端側に延び出し、前記支柱部の軸方向と交差する方向に弾性変形する弾性片と、前記支柱部および前記弾性片のいずれか一方に連接され、当該一方とは異なる他方に向けて延び出すバネ片と、を備え、前記バネ片は、被固定部材に設けられた取付穴に前記支柱部が前記一端側から挿入されて前記弾性片が前記支柱部に近づく方向に変位した状態において、前記他方と接触して前記弾性片を前記支柱部から離れる方向に押圧することを特徴とするファスナーである。
【０００８】
このように構成されたファスナーは、バネ片によって弾性片が支柱部から離れる方向に押圧されるため、弾性片と取付穴の内壁面との摩擦力が強くなり、取付穴に強固に固定することができる。またバネ片は支柱部と弾性片とを近接させる際に大きな妨げにならず、それらを充分に小さくまとめることができるため、挿入時における取付穴の内壁面との摩擦力を小さくできる。
【０００９】
なお上述したバネ片は上記一方から延び出すものであるが、その具体的な形状、幅、厚さなどは特に限定されるものではなく、腕状、舌状、帯状、板状、棒状などの形状をとることができる。またバネ片は取付穴に支柱部が挿入されたときに他方と接触するものであるが、挿入されていない状態においても他方と接触していてもよい。
【００１０】
上述した弾性片は、請求項５に記載のファスナーのように、前記弾性片における前記支柱部と反対側の面から突出する複数の突出片が形成されているものであってもよい。このように突出片が形成されていれば、突出片が取付穴の内壁面と係止することで大きな摩擦力を生じさせて強固に固定することができる。
【００１１】
請求項２に記載の発明は、請求項１に記載のファスナーにおいて、前記バネ片は、前記支柱部側の端部が前記弾性片側の端部よりも前記一端側に位置するように傾斜して延び出しており、前記他方には、前記支柱部に外部からの荷重が作用して、前記支柱部が前記弾性片に対して前記取付穴から抜去する方向に相対的に移動した際に、前記バネ片と係止する係止部が形成されていることを特徴とする。
【００１２】
このように構成されたファスナーは、バネ片の支柱部側の端部（以降、端部Ａとして説明する）がバネ片の弾性片側の端部（以降、端部Ｂとして説明する）よりも支柱部の一端側、即ち抜去方向と反対側に位置している。なおバネ片が支柱部に連接されている場合、端部Ａとは支柱部と連接する基端部であり、端部Ｂとは弾性片に向かって延び出した先端部である。またバネ片が弾性片に連接されている場合、端部Ａとは支柱部に向かって延び出した先端部であり、端部Ｂとは弾性片と連接する基端部である。
【００１３】
支柱部が弾性片に対して抜去方向に相対的に移動すると、支柱部と連接した、あるいは支柱部に設けられた係止部に係止された端部Ａは抜去方向に移動する。一方、弾性片に設けられた係止部に係止された、あるいは弾性片と連接した端部Ｂは、弾性片が摩擦力で取付穴に固定されているため抜去方向への移動が抑制されている。
【００１４】
そのため、バネ片には端部Ａと端部Ｂとの間で圧縮され、その反力でバネ片による弾性片を押圧する力が増大して弾性片と取付穴の内壁面との摩擦力が増大する結果、ファスナーの取付穴からの抜去を抑制することができる。
【００１５】
なお上記請求項２の構成において、バネ片は上述した位置関係を有していれば支柱部および弾性片のどちらに連接されていてもよい。但し、請求項３に記載のように、前記弾性片が前記一方であり前記支柱部が前記他方である構成、即ち弾性片から支柱部に向けてバネ片が延び出す構成とすることで、支柱部が抜去方向に移動したときに生じる上述したバネ片の力を、弾性片を支柱部から離れる方向に押圧する力として効率的に伝えることができる。
【００１６】
請求項４に記載の発明は、請求項１から請求項３のいずれか１項に記載のファスナーにおいて、前記弾性片に連接され、前記支柱部から離れる方向に延び出す操作片を備えることを特徴とする。
【００１７】
このように構成されたファスナーは、操作片を操作することで弾性片を変位させることができる。請求項１〜３のいずれかに記載のファスナーは、上述したように、支柱部および弾性片が取付穴に挿入された状態においては強固に固定されている。しかしながら、操作片によって弾性片が支柱部側に変位するように操作することで、ファスナーを取付穴から容易に抜去できるようになる。
【図面の簡単な説明】
【００１８】
【図１】実施例のファスナーを示す図であって、（Ａ）が正面図であり、（Ｂ）が平面図であり、（Ｃ）が底面図であり、（Ｄ）が左側面図であり、（Ｅ）が右側面図であり、（Ｆ）が背面図であり、（Ｇ）がクランプ部を閉じた状態の正面図である。
【図２】実施例のファスナーを示す図であって、（Ａ）が左上方から見た斜視図であり、（Ｂ）が右上方から見た斜視図であり、（Ｃ）が左下方から見た斜視図であり、（Ｄ）が右下方から見た斜視図である。
【図３】（Ａ）が実施例のファスナーの正面図であり、（Ｂ）が図３（Ａ）のＡ−Ａ断面図であり、（Ｃ）が図３（Ａ）のＢ−Ｂ断面図である。
【図４】（Ａ）が実施例のファスナーを取付穴に挿入した状態を示す正面図であり、（Ｂ）が支柱部を上方に移動させた状態を示す正面図である。
【図５】実施例のファスナーを取付穴に挿入し、操作片を摘んだ状態を示す正面図である。
【図６】（Ａ）〜（Ｃ）が、変形例のファスナーを示す正面図である。
【発明を実施するための形態】
【００１９】
以下に本発明の実施形態を図面と共に説明する。
［実施例］
（１）全体構成
本実施例のファスナー１は、図１（Ａ）〜（Ｇ）、図２（Ａ）〜（Ｄ）に示すように、クランプ部３と、固定部５と、を備えるものであって、弾性を有する合成樹脂（例えばＰＰ，ＰＡ，ＰＥ，ＰＳなど）にて一体成形されている。
【００２０】
クランプ部３は、基部１１の一端に係止溝部１３が設けられ、基部１１の他端から腕状部１５が延び出し、腕状部１５の先端に挿入部１７が設けられてなるものであって、係止溝部１３に挿入部１７を挿入することで図１（Ｇ）に示すように把持環部を形成し、その内部に電気配線などを保持することができる。
【００２１】
固定部５は、支柱部２１、弾性片２３、バネ片２５、操作片２７などを有する。
支柱部２１は上下方向に長さを有する板状の部材であって、下端に弾性片２３が連接され、上端にクランプ部３の基部１１が連接されている。支柱部２１には係止溝３１と係止突起３３と、が設けられる。
【００２２】
ここでいう上下の方向はあくまでも発明の理解を容易にするために便宜的に用いる、各部の相対的な位置関係を示すための定義にすぎず、ファスナー１の取り付け方向などを規定するものではない。また、支柱部２１における上述した下端が本発明における一端に対応し、上述した上端が本発明における他端に対応する。
【００２３】
弾性片２３は、支柱部２１を挟むような位置関係で一対が形成され、下端が支柱部２１の下端において連接されて上側に延び出している。支柱部２１および一対の弾性片２３にて下方向を向く鏃型の形状となっている。弾性片２３は支柱部２１の軸方向（上下方向）と交差する方向に弾性変形する。弾性片２３における支柱部２１と反対側の面からは、先端が細く形成された突出片３５が複数突出している。
【００２４】
バネ片２５は、弾性片２３の上端から支柱部２１に向けて延び出している舌状の部材である。またバネ片２５は、支柱部２１側に延び出した先端が、弾性片２３側の基端より下側に位置するように下方向に傾斜して延び出している。
【００２５】
操作片２７は、一対の弾性片２３それぞれの上端に連接されて、支柱部２１から離れる方向に延び、先端が上方向に折れ曲がっている。
支柱部２１およびバネ片２５の形状の詳細を図３（Ａ）〜（Ｃ）に基づいて説明する。
【００２６】
係止溝３１は支柱部２１の両面に形成されている。係止突起３３は係止溝３１の下端から連続するように設けられて、図３（Ｂ）に示すように、係止突起３３の上面、即ち係止溝３１の下端面は、係止溝３１の深さと係止突起３３の突出高さとを合わせた幅となっている。なおこの係止溝３１および係止突起３３が本発明における係止部の一例である。
【００２７】
また支柱部２１の両面に設けられる係止溝３１はそれぞれ、支柱部２１の幅方向（図３（Ｂ），（Ｃ）においては支柱部２１断面の長手方向）にずらして形成されている。これにより、支柱部２１が薄くなる部分を分散でき、支柱部２１の強度を高く保つことができる。なお、各係止溝３１と対向するバネ片２５もその係止溝３１の位置に合わせて上記幅方向にずらして設けられている。
【００２８】
（２）作用および効果
上記構成のファスナー１は、バネ片２５が厚みの小さい舌状であるため支柱部２１と弾性片２３とを近接させる際に大きな妨げにならず、小さくまとめることができる。また、係止溝３１にバネ片２５が入り込むため、さらに全体を小さくまとめることができる。よって支柱部２１と弾性片２３を取付穴に挿入する際に取付穴の内壁面との摩擦力を小さくできる。
【００２９】
ファスナー１を被固定部材７に設けられた取付穴９に挿入した状態を図４（Ａ）に示す。なお図４（Ａ）、（Ｂ）および図５においては、理解を容易にするために被固定部材７のみ断面図として示している。
【００３０】
取付穴９に支柱部２１および弾性片２３を挿入した状態において、一対の弾性片２３は互いの間隔が狭まるように支柱部２１方向に弾性変位している。その弾性復元力によって突出片３５が取付穴９の内壁面に向けて押圧される。
【００３１】
そして、上述したように弾性片２３が支柱部２１に近接するため、バネ片２５が支柱部２１と接触して弾性片２３を支柱部２１から離れる方向に押圧する。よって、突出片３５が取付穴９の内壁面を押圧する力が強くなる結果、弾性片２３と取付穴９の内壁面との摩擦力が強くなるため、ファスナー１を被固定部材７に強固に固定することができる。
【００３２】
なお、取付穴９の内壁面とは先端が尖った突出片３５にて接触するため、突出片３５を有さない場合よりも大きな摩擦力を生じさせることができる。
ところで、クランプ部３が引っ張られるなど、支柱部２１を取付穴９から抜去するような外部からの荷重が作用して、支柱部２１が弾性片２３よりもその抜去方向（上方向）に相対的に移動すると、図４（Ｂ）に示すように、バネ片２５の先端（下端）は係止溝３１の下端面に係止されて上方向に押圧される。
【００３３】
一方、バネ片２５の基端（上端）は弾性片２３に連接されており、その弾性片２３は突出片３５を介して取付穴９に高い摩擦力で係止している。そのため、支柱部２１が抜去方向に移動してもバネ片２５の基端は抜去方向に移動しにくく、その結果バネ片２５の下端が上端に接近することとなる。
【００３４】
このようにバネ片２５は圧縮され、その弾性復帰力で弾性片２３をさらに強く外側に押圧する。これにより取付穴９との摩擦力がさらに高まることとなり、支柱部２１と弾性片２３が取付穴９から抜去されることが抑制される。
【００３５】
なお、上述したようにバネ片２５の先端は係止溝３１の下端面に係止されるが、係止溝３１の下端面は係止突起３３と連接してその面積が広くなっているため、バネ片２５の先端が係止されやすく、また係止が外れてしまうことが抑制され都合がよい。
【００３６】
なお、ファスナー１を取り外す際には、図５に示すように、一対の操作片２７を互いが接近するように操作するとよい。操作片２７はバネ片２５より厚くして強度を高めているので、操作片２７を互いに接近させるときに、バネ片２５の弾性片２３を押圧する力に負けることが無く、弾性片２３を支柱部２１に近接させることができる。
【００３７】
上述したように支柱部２１および弾性片２３が取付穴９に挿入された状態においてはそれらの抜去が抑制されているが、操作片２７を互いが接近するように操作することにより弾性片２３が支柱部２１に近接して突出片３５の取付穴９の内壁面への押圧を容易に弱めることができ、ファスナー１を容易に取り外すことができるようになる。
【００３８】
なお、ファスナー１を取付穴９に挿入する際にも操作片２７同士を近接させることでスムーズに挿入することができる。このように操作片２７を操作してファスナー１の抜き差しを行うことで、取付穴９の磨耗を抑制でき、抜き差しを繰り返してもファスナー１を強固に固定することができる。
【００３９】
［変形例］
以上本発明の実施例について説明したが、本発明は、上記実施例に何ら限定されることはなく、本発明の技術的範囲に属する限り種々の形態をとり得ることはいうまでもない。
【００４０】
例えば上記実施例においては、バネ片２５が弾性片２３に連接され、先端が下側を向くように傾斜して延び出す構成を例示したが、固定部５は上記以外の構成であってもよい。
具体的には図６（Ａ）に示すファスナー１ａのように、バネ片２５ａが弾性片２３ａから上方に延び出す構成であってもよい。このように構成されたファスナー１ａは、実施例のファスナー１と同様に、バネ片２５ａが弾性片２３ａを外側へ押圧することで取付穴９に強固に固定することができる。
【００４１】
支柱部２１ａに係止溝３１ａを形成した場合、支柱部２１ａが抜去される方向に移動してもバネ片２５ａと係止溝３１ａとが係止することはないが、バネ片２５ａを係止溝３１ａに収容して小さくまとめることができるため、取付穴への挿入や抜去を容易に行うことができる。
【００４２】
また、図６（Ｂ）に示すファスナー１ｂのように構成してもよい。ファスナー１ｂは、バネ片２５ｂが支柱部２１ｂから弾性片２３ｂに向けて延び出し、支柱部２１ｂ側の基端が延び出した先端よりも下側に位置するように傾斜している。また操作片２７の支柱部２１ｂ側の端部が内側に突出した係止突起２９として形成されている。
【００４３】
このように構成されたファスナー１ｂもファスナー１と同様に取付穴９に強固に固定することができる。また支柱部２１ｂが抜去される方向に移動すると、バネ片２５ｂの先端が係止突起２９に係止するため、弾性片２３ｂを支柱部２１ｂから離れる方向に押圧することができ、弾性片２３ｂおよび支柱部２１ｂの抜去を抑制できる。
【００４４】
また、図６（Ｃ）に示すファスナー１ｃのように、バネ片２５ｃが支柱部２１ｃから下方に延び出す構成であってもよい。このように構成されたファスナー１ｃでもファスナー１ａと同様に取付穴９に強固に固定することができる。
【００４５】
また上記実施例においては、弾性片２３が２つ設けられる構成を例示したが、弾性片が１つ設けられる構成であっても良いし、弾性片が３つ以上設けられる構成であってもよい。３つ以上設ける場合は、例えば支柱部を断面多角形の角柱形状とし、弾性片を支柱部の軸周りに均等な間隔で配置することが考えられる。
【００４６】
また上記実施例においては、支柱部２１に係止溝３１と係止突起３３とが形成される構成を例示したが、係止溝３１または係止突起３３のいずれか一方のみが設けられる構成であってもよいし、バネ片２５を係止させる効果は得られないがいずれも設けられない構成であってもよい。
【００４７】
また上記実施例においては支柱部２１の上端にクランプ部３を設ける構成を例示したが、クランプ部３に限られるものではなく、クランプ部３に変えて様々な部材を設けることができる。
【符号の説明】
【００４８】
１，１ａ，１ｂ，１ｃ…ファスナー、３…クランプ部、５…固定部、７…被固定部材、９…取付穴、１１…基部、１３…係止溝部、１５…腕状部、１７…挿入部、２１…支柱部、２３…弾性片、２５…バネ片、２７…操作片、２９…係止突起、３１…係止溝、３３…係止突起、３５…突出片
【図１】
2014095430.tif 000003
【図２】
2014095430.tif 000004
【図３】
2014095430.tif 000005
【図４】
2014095430.tif 000006
【図５】
2014095430.tif 000007
【図６】
2014095430.tif 000008